(57)【要約】【課題】  組み立てが容易で、コストを抑えることができ、又装置全体が軽いピアノ用補助ペダル装置を提供することにある。【解決手段】  動作伝達部が、板材を折り曲げて形成された筐体と、上下に伸びると共に弾性体で上方向に付勢された棒材とから一体に形成され、足置板の上面から棒材の上端が突出するように、動作伝達部が足置板の下面に固定され、棒材の上端が補助ペダルの下面に当接して押し下げられることにより、棒材の下端がピアノのペダルを踏み込んだ状態となり、補助ペダルが解放されることにより、棒材が上昇してピアノのペダルも上昇することを特徴とする。【選択図】図１
2006221120.tif 000002
【特許請求の範囲】
【請求項１】
足置板の上面に揺動自在に固定された補助ペダルと、該補助ペダルの動きをピアノのペダルに伝達する動作伝達部とを備えたピアノ用補助ペダル装置において、
該動作伝達部が、板材を折り曲げて形成された筐体と、上下に伸びると共に弾性体で上方向に付勢された棒材とから一体に形成され、
該足置板の上面から該棒材の上端が突出するように、該動作伝達部が該足置板の下面に固定され、
該棒材の上端が該補助ペダルの下面に当接して押し下げられることにより、該棒材の下端が該ピアノのペダルを踏み込んだ状態となり、
該補助ペダルが解放されることにより、該棒材が上昇して該ピアノのペダルも上昇することを特徴とするピアノ用補助ペダル装置。
【請求項２】
板状の底板から起立する軸支部を有するペダル基台を備え、
前記補助ペダルが、該軸支部に揺動自在に軸支されていることを特徴とする請求項１記載のピアノ用補助ペダル装置。
【請求項３】
前記ペダル基台の底板が、前記足置板の上面の前記棒材が突出する位置まで延びることを特徴とする請求項２記載のピアノ用補助ペダル装置。
【請求項４】
前記ペダル基台の底板にネジ穴が設けられると共に、前記動作伝達部の筐体にタップ穴が設けられ、
ネジを、該ネジ穴を介して前記足置板を貫通して該タップ穴に螺合することにより、
該ペダル基台及び該動作伝達部が該足置板に挟持されることを特徴とする請求項２又は請求項３記載のピアノ用補助ペダル装置。
【発明の詳細な説明】
【技術分野】
【０００１】  本発明は、ピアノ演奏時に演奏者のペダル踏みを補助するピアノ用補助ペダル装置に関する。
【背景技術】
【０００２】  従来より、幼児や年少児のように身長が低い演奏者がピアノの演奏用に椅子に着席した状態でピアノ本体の演奏用のペダルに足が届かない場合に、補助ペダルを介してピアノ本体のペダルを踏み込めるようにするピアノ用補助ペダル装置が、用いられてきた。【０００３】  たとえば、特許文献１に示されるものであり、足置板のピアノ寄りの上面に直方体の一角をくりぬいた突出部を設け、その突出部に補助ペダルを揺動自在に設けたものである。また、このピアノ用補助ペダル装置の動作伝達部は、円柱材を切削加工して作った有底筒体にスプリングやカプラーを取り付けつつ、足置板に取り付ける構造となっている。
【特許文献１】実開昭６１−６１５８７号公報
【発明の開示】
【発明が解決しようとする課題】
【０００４】  しかしながら、従来のピアノ用補助ペダル装置では、動作伝達部の有底筒体は、切削で作られたものであり、部品１つが重くコストも高い。また、突出部も重いことから、装置全体が重く、幼児や年少児では移動・設置が困難である。【０００５】  また、補助ペダルの揺動部分や動作伝達部をそれぞれ別々に作って足置板に固定することができないことから、組み立て作業が煩雑で、製造コストを抑えることができない。【０００６】  本発明は、このような事情に鑑みてなされたもので、組み立てが容易で、コストを抑えることができ、又装置全体が軽いピアノ用補助ペダル装置を提供することにある。
【課題を解決するための手段】
【０００７】  請求項１記載のピアノ用補助ペダル装置は、動作伝達部が、板材を折り曲げて形成された筐体と、上下に伸びると共に弾性体で上方向に付勢された棒材とから一体に形成され、足置板の上面から棒材の上端が突出するように、動作伝達部が足置板の下面に固定され、棒材の上端が補助ペダルの下面に当接して押し下げられることにより、棒材の下端がピアノのペダルを踏み込んだ状態となり、補助ペダルが解放されることにより、棒材が上昇してピアノのペダルも上昇することを特徴とする。【０００８】  請求項２記載のピアノ用補助ペダル装置は、板状の底板から起立する軸支部を有するペダル基台を備え、補助ペダルが、軸支部に揺動自在に軸支されていることを特徴とする。【０００９】  請求項３記載のピアノ用補助ペダル装置は、ペダル基台の底板が、足置板の上面の棒材が突出する位置まで延びることを特徴とする。【００１０】  請求項４記載のピアノ用補助ペダル装置は、ペダル基台の底板にネジ穴が設けられると共に、動作伝達部の筐体にタップ穴が設けられ、ネジを、ネジ穴を介して足置板を貫通してタップ穴に螺合することにより、ペダル基台及び動作伝達部が足置板に挟持されることを特徴とする。
【発明の効果】
【００１１】  請求項１の発明によれば、動作伝達部が、板材を折り曲げて形成された筐体で形成されていることから、コストを抑えることができる。また、動作伝達部が、筐体と、上下に伸びると共に弾性体で上方向に付勢された棒材とから一体に形成されていることから、足置板に容易に取り付けることができる。【００１２】  請求項２の発明によれば、板状の底板から起立する軸支部を有するペダル基台を備え、補助ペダルが、軸支部に揺動自在に軸支されていることから、補助ペダルを軸支するための大きな覆い状の突出部を設ける必要がなく、装置全体を軽くすることができるとともに、コストを抑えることができる。【００１３】  請求項３の発明によれば、ペダル基台の底板が、足置板の上面の棒材が突出する位置まで延びることから、補助ペダルを踏み込んだ時に掛かる力を、補助ペダルを踏み込んだ足置板の付近でも受け止めることができ、装置全体の力のバランスに優れ、装置の耐久性を向上させることができる。【００１４】  請求項４の発明によれば、ネジを、ネジ穴を介して足置板を貫通してタップ穴に螺合することにより、ペダル基台及び動作伝達部が足置板に挟持されることから、部品点数を抑え、組み立てやすく、コストを抑えることができる。
【発明を実施するための最良の形態】
【００１５】  以下、本発明の形態について図面を参照しながら具体的に説明する。図１は、本発明に係るピアノ用補助ペダル装置の実施例を示す斜視図である。図２は、同ピアノ用補助ペダル装置の正面図である。図３は、同ピアノ用補助ペダル装置の補助ペダル部および動作伝達部を連結固定した状態を示す説明図である。図４は、同ピアノ用補助ペダル装置の組み立て図である。図５は同ピアノ用補助ペダル装置の縦断面図、図６は同ピアノ用補助ペダル装置の動作状態を示す縦断面図である。【００１６】  本発明の形態におけるピアノ用補助ペダル装置１は、ピアノ演奏時に演奏者のペダル踏みを補助するものである。具体的には、幼児や年少児のように身長が低い演奏者がピアノの演奏用に椅子に着席した状態でピアノ本体の演奏用のペダルに足が届かない場合に、補助ペダル１０を介してピアノ本体のペダル９を踏み込めるようにするものである。【００１７】  図において、ピアノ用補助ペダル装置１は、台箱６に設けられた昇降装置７に支持された足置板５と、足置板５の上面に固定された補助ペダル部２と、足置板５の下面に固定された動作伝達部３とから構成される。足置板５は、演奏者が足を置いてピアノを演奏する板であり、補助ペダル１０が揺動自在に設けられている。昇降装置７は、演奏者の身長に合わせて足置板５を上下に動かすものであり、足置板５の左右に設けられた昇降ノブ７ａを回転させることによりジャッキー構造を伸縮させて足置板５の高さを調整する。【００１８】  補助ペダル部２は、補助ペダル１０とペダル基台１１とから構成されている。ペダル基台１１は、略Ｔ字上の底板１１ａの部分と、底板１１ａの巾狭な部分の左右から上方に列立する軸支部１１ｄからなる。底板１１ａの巾広な部分のほぼ中央には、後述する動作伝達部３の棒材２０が遊貫する貫通穴１１ｂが穿設されている。また、貫通穴１１ｂの左右には、それぞれ２つのネジ穴１１ｃが穿設されている。補助ペダル１０は、ピアノのペダル９とほぼ同形状に金属製の板材を折り曲げて成形したものである。この補助ペダル１０は、軸１２を介して、ペダル基台１１の軸支部１１ｄに揺動自在に軸支されている。【００１９】  動作伝達部３は、上部に開口を有する箱状に板材を折り曲げて形成した筐体２１と、筐体２１を上下に貫通して伸びる円筒状の棒材２０とで構成されている。棒材２０は、下端に径大の下端部２０ａを備え、筐体２１の下面から上方向に貫通している。筐体２１の内部の棒材２０には、弾性体であるスプリング２３が挿入され、スプリング２３の上端付近の棒材２０には、固定リング２４が挿入されて左右から潰されて固定穴２０ｂに嵌合するように固定されている。この固定リング２４と筐体２１の底面内側との間にスプリング２３が挟まれ、棒材２０はスプリング２３により上方向に付勢された状態となっている。尚、棒材２０と筐体２１とを一体として保持するため、門状に板材を折り曲げた固定具２２が、筐体２１の上部開口に挿嵌されている。このとき、棒材２０は固定具２２の貫通穴２２ａを通って上方向に伸びている。尚、筐体２１と固定具２２との固定は、筐体２１の側面からネジ２９を挿入し、固定具２２に穿設されたタップ穴２２ｃに螺合することにより行う。また��固定具２２の貫通穴２２ａには、下方向からリング２６が挿嵌され、棒材２０の摺動を円滑にしている。さらに、リング２６と固定リング２４との間には、円環状のクッション材２５が挿入されている。尚、棒材２０の下端部２０ａには、通常ペダル９を押し下げるための当接板８が固定されている。【００２０】  次に、足置板５への補助ペダル部２及び動作伝達部３の固定について説明する。まず、足置板５のピアノ側になる端辺に、ピアノの２つのペダル９と同間隔で貫通穴５ａを穿設する。貫通穴５ａの大きさは、動作伝達部３の棒材２０が遊貫可能な大きさである。また、貫通穴５ａの周辺に、ペダル基台１１の貫通穴１１ｂとネジ穴１１ｃとの位置関係と同じになるように、ネジ穴を穿設する。【００２１】  次に、動作伝達部３を足置板５の下面に押し当てる。このとき、筐体２１から上方に突出する棒材２０の上端が、足置板５の貫通穴５ａを通過して上方に突出するようにする。また、筐体２１の上部開口の左右に形成された鍔部２１ａが、足置板５の下面に当接するようにする。このとき、鍔部２１ａに穿設されたタップ穴２１ｂと足置板５のネジ穴との位置が一致するように配置する。【００２２】  次に、ペダル基台１１の貫通穴１１ｂに動作伝達部３の棒材２０の上端が貫通するように、補助ペダル部２を足置板５の上面に載置する。このとき、ペダル基台１１の底板１１ａに穿設されたネジ穴１１ｃと足置板５のネジ穴との位置が一致するように配置する。【００２３】  上述のように、足置板５の上面及び下面に、補助ペダル部２及び動作伝達部３を配置した状態で、固定ネジ１５をペダル基台１１のネジ穴１１ｃの挿入する。足置板５のネジ穴を貫通した固定ネジ１５は、動作伝達部３の鍔部２１ａのタップ穴２１ｂに達する。そして、固定ネジ１５をタップ穴２１ｂに螺合することにより、補助ペダル部２及び動作伝達部３が足置板５に挟持された状態で固定される。【００２４】  次に、ピアノ用補助ペダル装置１の動作を説明する。まず、演奏者又は演奏者の補助者が、ピアノのペダル９の前にピアノ用補助ペダル装置１を設置する。そして、演奏者の足が足置板５に着くように昇降装置７を操作して、足置板５の高さを調整する。このとき、当接板８がペダル９に接するように、棒材２０の下端部２０ａと当接板８の位置をも調整する。【００２５】  足置板５の高さの調整が終わった段階で、演奏者はピアノの演奏が可能になる。演奏者が、補助ペダル１０を踏み込むと、動作伝達部３の棒材２０の上端が補助ペダル１０の下面に当接して押し下げられる。そして、棒材２０がスプリング２３に抗して下がり、当接板８を介して棒材２０の下端がピアノのペダル９を踏み込んだ状態となる。逆に、補助ペダル１０が解放されると、棒材２０がスプリング２３の弾性力により上昇して、ピアノのペダル９も上昇する。【００２６】  以上のように、動作伝達部３が、板材を折り曲げて形成された筐体２１で形成されていることから、コストを抑えることができる。また、動作伝達部３が、筐体２１と、上下に伸びると共に弾性体であるスプリング２３で上方向に付勢された棒材２０とから一体に形成されていることから、足置板５に容易に取り付けることができる。【００２７】  さらに、補助���ダル部２が、板状の底板１１ａから起立する軸支部１１ｄを有するペダル基台１１を備え、補助ペダル１０が、軸支部１１ｄに揺動自在に軸支されていることから、補助ペダル１０を軸支するための大きな覆い状の突出部を設ける必要がなく、装置全体を軽くすることが出来るとともに、コストを抑えることができる。【００２８】  さらに、ペダル基台１１の底板１１ａが、足置板５の上面の棒材２０が突出する位置まで延びることから、補助ペダル１０を踏み込んだ時に掛かる力を、補助ペダル１０を踏み込んだ足置板５の付近でも受け止めることができ、装置全体の力のバランスに優れ、装置の耐久性を向上させることができる。尚、ペダル基台１１の底板１１ａを、足置板５の上面の棒材２０が突出する位置まで延ばすか否かは、デザイン状の制約等を考慮し任意に決定すればよい。【００２９】  さらに、固定ネジ１５を、ネジ穴１１ｃを介して足置板５を貫通してタップ穴２１ｂに螺合することにより、補助ペダル部２及び動作伝達部３が足置板５に挟持されることから、部品点数を抑え、組み立てやすく、コストを抑えることができる。尚、タップ穴２１ｂを用いることは必須ではなく、ナット等を用いて、補助ペダル部２及び動作伝達部３を別々に足置板５に固定することを排除するものではない。
【産業上の利用可能性】
【００３０】  本発明は、組み立てが容易で、コストを抑えることができ、又装置全体が軽いピアノ用補助ペダル装置として有効である。
【図面の簡単な説明】
【００３１】
【図１】  本発明に係るピアノ用補助ペダル装置の実施例を示す斜視図である。
【図２】  同ピアノ用補助ペダル装置の正面図である。
【図３】  同ピアノ用補助ペダル装置の補助ペダル部および動作伝達部を連結固定した状態を示す説明図である。
【図４】  同ピアノ用補助ペダル装置の組み立て図である。
【図５】  同ピアノ用補助ペダル装置の縦断面図である。
【図６】  同ピアノ用補助ペダル装置の動作状態を示す縦断面図である。
【符号の説明】
【００３２】１・・・・・ピアノ用補助ペダル装置
２・・・・・補助ペダル部
３・・・・・動作伝達部
５・・・・・足置板
７・・・・・昇降装置
９・・・・・ペダル
１０・・・・補助ペダル
１１・・・・ペダル基台
１１ｄ・・・軸支部
１５・・・・固定ネジ
２０・・・・棒材
２１・・・・筐体
２２・・・・固定部
２３・・・・スプリング
【図１】
2006221120.tif 000003
【図２】
2006221120.tif 000004
【図３】
2006221120.tif 000005
【図４】
2006221120.tif 000006
【図５】
2006221120.tif 000007
【図６】
2006221120.tif 000008